(57)【特許請求の範囲】
【請求項１】
本体枠とＬＥＤと透光カバーと側面カバーとを備え、本体枠は、前部にＬＥＤ収納部を有し、前部上面側に透光カバー取付用の開口部を有し、ＬＥＤは、本体枠のＬＥＤ収納部に上向きに取付けてあり、透光カバーは、本体枠の開口部を塞ぐものであって、上面部と前面部と前面部の下端部より後方にのびる折り返し部を有し、上面部の後端部を本体枠の上壁に設けた前側が開口する上呑み込み溝に呑み込ませてあり、折り返し部を本体枠の前壁に設けた前側が開口する下呑み込み溝に呑み込ませてあり、側面カバーは、本体枠の側面を塞いでいることを特徴とするサイン外照式照明装置。
【請求項２】
本体枠とＬＥＤと透光カバーとを備え、本体枠は、前部にＬＥＤ収納部を有し、前部上面側に透光カバー取付用の開口部を有し、ＬＥＤは、本体枠のＬＥＤ収納部に上向きに取付けてあり、透光カバーは、本体枠の開口部を塞ぐものであって、後端部上面に水返し片を長手方向に沿って設けてあり、後端部を本体枠の上壁に設けた前側が開口する上呑み込み溝に呑み込ませて水返し片を上呑み込み溝内に位置させてあることを特徴とするサイン外照式照明装置。
【請求項３】
本体枠とＬＥＤと透光カバーとを備え、本体枠は、前部にＬＥＤ収納部を有し、前部上面側に透光カバー取付用の開口部を有し、ＬＥＤは、本体枠のＬＥＤ収納部に上向きに取付けてあり、透光カバーは、本体枠の開口部を塞ぐものであり、本体枠の底壁は、後側に向かうにつれて下向きに傾斜しており、ＬＥＤよりも後側に止水壁を設けてあると共に、止水壁よりも後側に水抜き孔を設けてあることを特徴とするサイン外照式照明装置。
【発明の詳細な説明】
【技術分野】
【０００１】
本発明は、サインを下方より照らすサイン外照式照明装置に関する。
【背景技術】
【０００２】
従来、看板等のサインの上方にＬＥＤを組み込んだ照明装置を設置し、サインの表面をＬＥＤの光で上方より照らすものがあった（例えば、特許文献１参照。）。この場合、設置場所によっては照明の光が目に入ってまぶしく感じ、サインが見づらいことがあった。しかし、従来の照明装置を単に上下反転して設置すると、装置内部に雨水が浸入するおそれがある。
【先行技術文献】
【特許文献】
【０００３】
【特許文献１】特開２０１３−６５００７号公報
【発明の概要】
【発明が解決しようとする課題】
【０００４】
本発明は以上に述べた実情に鑑み、サインを下から照らせ、装置内部に雨水が浸入することのないサイン外照式照明装置の提供を目的とする。
【課題を解決するための手段】
【０００５】
上記の課題を達成するために請求項１記載の発明によるサイン外照式照明装置は、本体枠とＬＥＤと透光カバーと側面カバーとを備え、本体枠は、前部にＬＥＤ収納部を有し、前部上面側に透光カバー取付用の開口部を有し、ＬＥＤは、本体枠のＬＥＤ収納部に上向きに取付けてあり、透光カバーは、本体枠の開口部を塞ぐものであって、上面部と前面部と前面部の下端部より後方にのびる折り返し部を有し、上面部の後端部を本体枠の上壁に設けた前側が開口する上呑み込み溝に呑み込ませてあり、折り返し部を本体枠の前壁に設けた前側が開口する下呑み込み溝に呑み込ませてあり、側面カバーは、本体枠の側面を塞いでいることを特徴とする。
【０００６】
請求項２記載の発明によるサイン外照式照明装置は、本体枠とＬＥＤと透光カバーとを備え、本体枠は、前部にＬＥＤ収納部を有し、前部上面側に透光カバー取付用の開口部を有し、ＬＥＤは、本体枠のＬＥＤ収納部に上向きに取付けてあり、透光カバーは、本体枠の開口部を塞ぐものであって、後端部上面に水返し片を長手方向に沿って設けてあり、後端部を本体枠の上壁に設けた前側が開口する上呑み込み溝に呑み込ませて水返し片を上呑み込み溝内に位置させてあることを特徴とする。
【０００７】
請求項３記載の発明によるサイン外照式照明装置は、本体枠とＬＥＤと透光カバーとを備え、本体枠は、前部にＬＥＤ収納部を有し、前部上面側に透光カバー取付用の開口部を有し、ＬＥＤは、本体枠のＬＥＤ収納部に上向きに取付けてあり、透光カバーは、本体枠の開口部を塞ぐものであり、本体枠の底壁は、後側に向かうにつれて下向きに傾斜しており、ＬＥＤよりも後側に止水壁を設けてあると共に、止水壁よりも後側に水抜き孔を設けてあることを特徴とする。
【発明の効果】
【０００８】
請求項１記載の発明によるサイン外照式照明装置は、本体枠の前部のＬＥＤ収納部にＬＥＤを上向きに取付け、本体枠の前部上面側に透光カバーを取付けたので、サインをＬＥＤの光で下から照らすことができ、光が目に入らずサインが見やすい。しかも透光カバーは、上面部と前面部と前面部の下端部より後方にのびる折り返し部を有し、上面部の後縁部を本体枠の上壁に設けた前側が開口する上呑み込み溝に呑み込ませてあり、折り返し部を本体枠の前壁に設けた前側が開口する下呑み込み溝に呑み込ませてあるので、装置にかかる雨水が透光カバーの上面部と前面部を伝って流れ落ち、装置内部に雨水が浸入するのを防止できる。
【０００９】
請求項２記載の発明によるサイン外照式照明装置は、本体枠の前部のＬＥＤ収納部にＬＥＤを上向きに取付け、本体枠の前部上面側に透光カバーを取付けたので、サインをＬＥＤの光で下から照らすことができ、光が目に入らずサインが見やすい。しかも透光カバーは、後端部上面に水返し片を長手方向に沿って設けてあり、後端部を本体枠の上壁に設けた前側が開口する上呑み込み溝に呑み込ませて水返し片を上呑み込み溝内に位置させてあるので、透光カバー上の雨水が風で吹き上げられたときに、雨水が上呑み込み溝内で水返し片により堰き止められるので、装置内部に雨水が浸入するのを防止できる。
【００１０】
請求項３記載の発明によるサイン外照式照明装置は、本体枠の前部のＬＥＤ収納部にＬＥＤを上向きに取付け、本体枠の前部上面側に透光カバーを取付けたので、サインをＬＥＤの光で下から照らすことができ、光が目に入らずサインが見やすい。しかも、本体枠の底壁が後側に向かうにつれて下向きに傾斜しており、ＬＥＤよりも後側に止水壁を設けてあると共に、止水壁よりも後側に水抜き孔を設けてあるので、万が一装置内部に雨水が浸入したとしても、ＬＥＤに雨水がかかるのを防止できる。
【図面の簡単な説明】
【００１１】
【図１】図２のＡ−Ａ断面図である。
【図２】本発明のサイン外照式照明装置の一実施形態を示す正面図である。
【図３】同サイン外照式照明装置の側面図である。
【図４】同サイン外照式照明装置の長手方向端部を示す分解斜視図である。
【図５】同サイン外照式照明装置を長手方向に複数連結する場合の連結部を示す斜視図である。
【図６】同サイン外照式照明装置を壁面に取付ける際の手順を示す縦断面図である。
【発明を実施するための形態】
【００１２】
以下、本発明の実施の形態を図面に基づいて説明する。図１〜６は、本発明のサイン外照式照明装置１６（以下、単に照明装置１６という）の一実施形態を示している。本照明装置１６は、図２，３に示すように、看板、広告、案内図等のサイン１７の下方に前方に張り出して設置され、サイン１７全体を内蔵したＬＥＤ２の光２２で下から照らすものである。
【００１３】
本照明装置１６は、図１に示すように、建物の外壁等の壁面１８に取付けられる取付枠１９と、取付枠１９に前方から着脱自在に取付けられる本体枠１とを有し、さらに本体枠１はＬＥＤ収納枠２０と電源収納枠２１の二部材で構成してある。本体枠１と取付枠１９は、アルミ形材で形成してある。本照明装置１６は、上面が前方に向かうにつれて下向きに傾斜し、下面が前方に向かうにつれて上向きに傾斜しており、ほぼ上下対称な台形状の断面になっている。本照明装置１６の長手方向の端部には、図４に示すように、ＬＥＤ収納枠２０の小口をカバーするようにＬＥＤ収納枠側面カバー４を取付け、さらにその上から装置の側面全体をカバーするように本体枠側面カバー５が取付けてある。
【００１４】
ＬＥＤ収納枠２０は、図１に示すように、前部にＬＥＤ収納部６を有し、ＬＥＤ収納部６にＬＥＤ２が上向きに取付けてある。ＬＥＤ２は、光の中心軸を鉛直方向に対して後方に傾けて光２２を拡散して照射し、上下方向で約３メートルの広い範囲に光２２を照射できるものとなっている。ＬＥＤ２は、ＬＥＤ収納枠２０の長手方向に間隔をおいて複数取付けてある。
ＬＥＤ収納枠２０は、上面側に開口部７が設けられ、その開口部７を塞ぐように透明な樹脂板で形成した透光カバー３が取付けてある。透光カバー３は、前方に向かうにつれて下向きに傾斜した上面部８と、上面部８の前側端部より垂直に垂下する前面部９と、前面部９の下端部より後方にのびる折り返し部１０を有しており、上面部８の後端部をＬＥＤ収納枠２０の上壁２３に設けた前側が開口する上呑み込み溝１１に呑み込ませてあり、折り返し部１０をＬＥＤ収納枠２０の前壁２４に設けた前側が開口する下呑み込み溝１２に呑み込ませてある。透光カバー３の後端部上面には、樹脂の角材よりなる水返し片１３が長手方向に沿って接着して設けてあり、水返し片１３は上呑み込み溝１１内の後端部に位置している。透光カバー３の後端部下面には、樹脂の角材よりなる水切り片２５が長手方向に沿って接着して設けてあり、水切り片２５は上呑み込み溝１１の外（前側）に位置している。折り返し部１０の後端部上面には抜け止め片２６が長手方向に沿って取付けてあり、抜け止め片２６は下呑み込み溝１２内に位置している。水返し片１３と水切り片２５は、透光カバー３の長手方向の全長にわたって設けてあり、抜け止め片２６は所定長さに切断したものを間隔をおいて取付けている。透光カバー３は、ＬＥＤ収納枠側面カバー４と本体枠側面カバー５とを取外した状態で、長手方向にスライドさせることにより本体枠１（ＬＥＤ収納枠２０）に簡単に着脱できる。
ＬＥＤ収納枠２０の底壁２７は、後側に向かうにつれて下向きに傾斜しており、ＬＥＤ２よりも後側に止水壁１４を設けてあると共に、止水壁１４よりも後側に水抜き孔１５を設けてある。さらに、水抜き孔１５の上方位置にも止水壁２８が前方に突出して設けてある。
ＬＥＤ収納枠２０の後面には、上下２箇所に半円形断面の突条２９が設けてあり、両突条２９を電源収納枠２１の前端部に設けたアリ溝３０に長手方向から係合し、突条２９とアリ溝３０間に形成される孔３１に小口からイモネジ（図示省略）を挿入することで、ＬＥＤ収納枠２０と電源収納枠２１を一体化している。
【００１５】
ＬＥＤ収納枠２０の長手方向端部に取付けられるＬＥＤ収納枠側面カバー４は、図４に示すように、ＬＥＤ収納枠２０の端面に当接する側板３２と、透光カバー３の上面部８及び前面部９の外側に重なる重なり片３３を有しており、重なり片３３の内側には透光カバー３に密着するパッキン３４を有している。これにより、ＬＥＤ収納枠２０の端部からの雨水の浸入が防がれる。
【００１６】
電源収納枠２１は、図１に示すように、上枠材３５と下枠材３６を繋ぎ材３７で連結して上下対称に構成され、上枠材３５の下面にＬＥＤ２に電気を供給するための電源３８が取付けてある。電源収納枠２１の後端部には、ハの字形に広がる上下の取付片３９ａ，３９ｂと、上下の取付片３９ａ，３９ｂの基端部より内側に突出する突起４０ａ，４０ｂを有する。
【００１７】
取付枠１９は、上壁４１と後壁４２と下壁４３とを有する略コ字型に形成され、後壁４２を壁面１８にアンカーボルト４４とナット４５で固定してある。上壁４１の前端部には、電源収納枠２１の上取付片３９ａと重合してネジ止めされるネジ止め部４６と、電源収納枠２１の上側の突起４０ａが係止する溝４７を有する。下壁４３の前端部には、電源収納枠２１の下取付片３９ｂが係止する鉤型のフック部４８を有する。
【００１８】
本体枠１は所定の長さ（例えば、１．２メートル又は１．８メートル）を有しており、光を当てたいサイン１７の横幅がそれより長い場合は、複数の本体枠１，１，…を長手方向に連結して用いることができる。この場合、図１，５に示すように、連結する本体枠１，１の端部にＬＥＤ収納枠側面カバー４，４のみを取付け、両本体枠１，１の前部下面側に形成されたアリ溝４９に連結材５０を挿入しネジ５１で固定することで、本体枠１，１同士を連結できる。
【００１９】
次に、本照明装置１６を設置する際の手順を説明する。まず、壁面１８の所定の位置に取付枠１９をあらかじめ取付けておく。次に、ＬＥＤ収納枠２０にＬＥＤ２を、電源収納枠２１に電源３８をそれぞれ取付け、両者を長手方向にスライド係合させて一体化する。次に、ＬＥＤ収納枠２０に透光カバー３を長手方向にスライドして取付けてから、ＬＥＤ収納枠２０の両端部にＬＥＤ収納枠側面カバー４を取付ける。次に、図６（ａ）に示すように、本体枠１の下取付片３９ｂを取付枠１９のフック部４８に引っ掛けてから起こすことで、本体枠１上部の突起４０ａが取付枠１９の溝４７に係止し、本体枠１が取付枠１９に仮付けされる。その後、図６（ｂ）に示すように、本体枠１の上取付片３９ａを取付枠１９のネジ止め部４６にネジで５２固定する。最後に、本体枠１の両端部に本体枠側面カバー５を取付ける。
【００２０】
以上に述べたように本照明装置１６は、本体枠１の前部のＬＥＤ収納部６にＬＥＤ２を上向きに取付け、本体枠１の前部上面側に透光カバー３を取付けたので、サイン１７をＬＥＤ２の光２２で下から照らすことができ、光２２が目に入らずサイン１７が見やすい。しかも透光カバー３は、上面部８と前面部９と前面部９の下端部より後方にのびる折り返し部１０を有し、上面部８の後端部を本体枠１の上壁２３に設けた前側が開口する上呑み込み溝１１に呑み込ませてあり、折り返し部１０を本体枠１の前壁２４に設けた前側が開口する下呑み込み溝１２に呑み込ませてあるので、装置にかかる雨水５３が透光カバー３の上面部８と前面部９を伝って流れ落ち（図１参照）、装置内部に雨水が浸入するのを防止できる。仮に、折り返し部１０の下面を伝って雨水が浸入したとしても、本体枠１の前壁２４によって堰き止められ、ＬＥＤ２に雨水がかかることがない。また、側面カバー４，５を外すと透光カバー３を長手方向にスライドさせることで本体枠１から取外すことができるので、メンテナンスがしやすい。
また本照明装置１６は、透光カバー３の後端部上面に水返し片１３を長手方向に沿って設けてあり、後端部を本体枠１の上壁２３に設けた前側が開口する上呑み込み溝１１に呑み込ませて水返し片１３を上呑み込み溝１１内に位置させてあることで、透光カバー３上の雨水５４が風で吹き上げられたときに、雨水５４が上呑み込み溝１１内で水返し片１３により堰き止められるので、装置内部に雨水が浸入するのを防止できる。さらに、透光カバー３の後端部下面に水切り片２５が長手方向に沿って設けてあり、水切り片２５は上呑み込み溝１１の外（前側）に位置していることで、仮に水返し片１３を超えて雨水５５が浸入したとしても、水切り片２５に当たって落下するから、ＬＥＤ２に雨水がかかるのを防止できる。
また本照明装置１６は、本体枠１の底壁２７が後側に向かうにつれて下向きに傾斜しており、ＬＥＤ２よりも後側に止水壁１４を設けてあると共に、止水壁１４よりも後側に水抜き孔１５を設けてあることで、万が一装置内部に雨水５５が浸入したとしても、止水壁１４に堰き止められて水抜き孔１５より装置外に排水されるから、ＬＥＤ２に雨水がかかるのを防止できる。さらに、水抜き孔１５の上方位置にも止水壁２８が前方に突出して設けてあることで、止水性がより向上する。
このように本照明装置１６は、ＬＥＤ２に雨水がかからないようにする工夫が何重にもされていることで、上向きに光を照射するものでありながら、ＬＥＤ２が濡れるのを防止し、故障を防ぐことができる。
さらに本照明装置１６は、本体枠１と取付枠１９とで構成され、取付枠１９に本体枠１を仮付けできるため、設置が容易である。本体枠１をＬＥＤ収納枠２０と電源収納枠２１とに分割して構成してあり、側面カバーはＬＥＤ収納枠側面カバー４と本体枠側面カバー５とからなり、これらが着脱自在なため、メンテナンスがしやすい。
【００２１】
本発明は以上に述べた実施形態に限定されない。本体枠や透光カバーの断面形状や材質、ＬＥＤの具体的な構造等は、適宜変更することができる。照明具の壁面等への取付け方は任意であり、本体枠を直接ボルト等で壁面等に取付けるものや、両端部をブラケットで支持するものであってもよい。照明具を設置する場所は任意であり、例えばビルの外壁、地下道の壁面、自立したフレーム等に設置することができる。光が当てられるサインは、看板、案内板、標識等、なんでもよい。サインの下方だけでなくサインの上方にも照明装置を設置し、サインに上からと下からの両方の光を当てることで、より高さのあるサインに対応できる。
【符号の説明】
【００２２】
１  本体枠
２  ＬＥＤ
３  透光カバー
４  ＬＥＤ収納枠側面カバー（側面カバー）
５  本体枠側面カバー（側面カバー）
６  ＬＥＤ収納部
７  開口部
８  上面部
９  前面部
１０  折り返し部
１１  上呑み込み溝
１２  下呑み込み溝
１３  水返し片
１４  止水壁
１５  水抜き孔
【図１】
0006467313.tif 000002
【図２】
0006467313.tif 000003
【図３】
0006467313.tif 000004
【図４】
0006467313.tif 000005
【図５】
0006467313.tif 000006
【図６】
0006467313.tif 000007